(57)【要約】【課題】支持体を支える強度を向上できるとともに、支持体の回転を防ぎ、摩耗の発生を防止できる搬送装置を提供する。【解決手段】主搬送路11の主搬送方向Ｆと交差する両側に配設された左右一対の無端回動体25と、左右の無端回動体25の間に位置して主搬送方向Ｆと交差する方向を長手方向とし、長手方向両端部に開口部を有する複数の支持体26と、支持体26の長手方向両端部の開口部に装着される連結体27と、主搬送方向Ｆと交差する方向に延在し、一端側が無端回動体25に保持され、他端側が連結体27に保持される複数の接続体28とを備える。それぞれの連結体27は、接続体28のうちの一部でかつ２以上を保持する。【選択図】図１
2020104956.tif 000002
【特許請求の範囲】
【請求項１】
主搬送路の主搬送方向と交差する両側に配設された左右一対の無端回動体と、
左右の前記無端回動体の間に位置して前記主搬送方向と交差する方向を長手方向とし、長手方向両端部に開口部を有する複数の支持体と、
前記支持体の長手方向両端部の前記開口部に装着される連結体と、
前記主搬送方向と交差する方向に延在し、一端側が前記無端回動体に保持され、他端側が前記連結体に保持される複数の接続体とを備え、
それぞれの前記連結体は、前記接続体のうちの一部でかつ２以上を保持する
ことを特徴とする搬送装置。
【請求項２】
前記連結体は、２以上の前記接続体を前記支持体の前記開口部の内側に保持する
ことを特徴とする請求項１記載の搬送装置。
【請求項３】
前記連結体は、前記接続体を差し込み保持する差込孔を有し、
前記差込孔は、前記接続体の径に応じて形成された第１差込孔と、この第１差込孔よりも前記主搬送方向に長く形成された第２差込孔とを有する
ことを特徴とする請求項１または２記載の搬送装置。
【請求項４】
前記連結体は、前記支持体の前記開口部内に挿入される胴部と、前記支持体の前記開口部の内周よりも大きい外周を有し前記支持体の前記開口部の外側に位置する頭部とを有し、
前記頭部は、前記支持体の外周に対して等しいまたは小さい第１縁部と、前記支持体の外周よりも外側に位置する第２縁部とを有する
ことを特徴とする請求項１ないし３いずれか一記載の搬送装置。
【請求項５】
前記連結体は、前記支持体の前記開口部内に挿入される胴部と、前記支持体の前記開口部の内周よりも大きい外周を有し前記支持体の前記開口部の外側に位置する頭部とを有し、
前記頭部は、前記支持体の左側と右側とでは左右勝手違いの形状に設けられている
ことを特徴とする請求項１ないし３いずれか一記載の搬送装置。
【請求項６】
前記頭部は、前記胴部が前記支持体の前記開口部に装着された状態で、前記支持体の左右方向を視認可能な方向表示部を有する
ことを特徴とする請求項５記載の搬送装置。
【請求項７】
前記頭部の外周は、一方端が前記主搬送方向に位置し、他方端が前記主搬送方向と反対側に位置する第１辺部と、この第１辺部の一方端から斜めに延在する第２辺部と、前記第１辺部の他方端から斜めに延在し前記第２辺部と線形状または傾斜角が異なる第３辺部とを有する
ことを特徴とする請求項５または６記載の搬送装置。
【請求項８】
前記第２辺部および前記第３辺部は、前記支持体の外周よりも外側に位置する
ことを特徴とする請求項７記載の搬送装置。
【請求項９】
前記無端回動体は、前記接続体を差し込み保持する差込孔を有し、
前記差込孔は、前記接続体の径に応じて形成された第１差込孔と、この第１差込孔よりも前記主搬送方向に長く形成された第２差込孔とを有する
ことを特徴とする請求項１または２記載の搬送装置。
【発明の詳細な説明】
【技術分野】
【０００１】
本発明は、搬送物を搬送する搬送装置に関する。
【背景技術】
【０００２】
従来、例えば下記の特許文献１に記載された搬送装置が知られている。この搬送装置は、主搬送路の両側に配置された左右一対のチェーンと、これら左右のチェーンの間に位置して主搬送路の主搬送方向と交差する方向を長手方向とする複数の支持体であるローラと、これらローラの端部に装着されてチェーンと連結する連結体とを備えている。チェーンには複数のピンが突出され、ローラの連結体にはチェーンのピンが１本ずつ差し込まれている。
【０００３】
このような搬送装置では、ローラがチェーンの１本のピンだけで支持されるため、ローラを支える強度不足の懸念があるとともに、１本のピンに対して連結体およびローラが回転し、ピンと連結体との間での摩擦によってこれらピンや連結体に摩耗が生じる懸念がある。
【先行技術文献】
【特許文献】
【０００４】
【特許文献１】特許第２５８５１３９号公報
【発明の概要】
【発明が解決しようとする課題】
【０００５】
このような搬送装置では、支持体を支える強度の向上や、摩耗の発生を防止することが求められる。
【０００６】
本発明は、支持体を支える強度を向上できるとともに、支持体の回転を防ぎ、摩耗の発生を防止できる搬送装置を提供することを目的とする。
【課題を解決するための手段】
【０００７】
本発明の搬送装置は、主搬送路の主搬送方向と交差する両側に配設された左右一対の無端回動体と、左右の前記無端回動体の間に位置して前記主搬送方向と交差する方向を長手方向とし、長手方向両端部に開口部を有する複数の支持体と、前記支持体の長手方向両端部の前記開口部に装着される連結体と、前記主搬送方向と交差する方向に延在し、一端側が前記無端回動体に保持され、他端側が前記連結体に保持される複数の接続体とを備え、それぞれの前記連結体は、前記接続体のうちの一部でかつ２以上を保持するものである。
【発明の効果】
【０００８】
本発明の搬送装置によれば、支持体を支える強度を向上できるとともに、支持体の回転を防ぎ、摩耗の発生を防止できる。
【図面の簡単な説明】
【０００９】
【図１】本発明の第１の実施の形態を示す搬送装置の搬送体の斜視図である。
【図２】同上搬送体の側面図である。
【図３】同上搬送体の一部の断面図である。
【図４】同上搬送体の断面図である。
【図５】同上搬送体が備える連結体の正面図である。
【図６】同上連結体の側面図である。
【図７】同上連結体の背面図である。
【図８】同上連結体の図７Ａ−Ａ視の断面図である。
【図９】同上搬送装置の平面図である。
【図１０】同上搬送装置の側面図である。
【図１１】同上搬送装置の正面図である。
【図１２】第２の実施の形態の搬送装置の搬送体を示し、接続体が無端回動体に一体化された場合の側面図である。
【図１３】同上搬送体の一部の断面図である。
【図１４】同上搬送体の一部の分解断面図である。
【図１５】同上搬送体の接続体が連結体に一体化された場合の側面図である。
【図１６】同上搬送体の一部の断面図である。
【図１７】同上搬送体の一部の分解断面図である。
【図１８】第３の実施の形態の搬送装置を示し、連結体が無端回動体の内側に連結された場合の側面図である。
【図１９】同上搬送体の一部の断面図である。
【図２０】同上搬送体の接続体の側面図である。
【図２１】同上搬送体の連結体が無端回動体の外側に連結された場合の一部の側面図である。
【図２２】同上搬送体の一部の断面図である。
【図２３】第４の実施の形態の搬送装置を示し、(a)は連結体の一例を示す側面図、(b)は連結体の他の例を示す側面図である。
【図２４】第５の実施の形態の搬送装置を示し、(a)〜(d)は搬送体の各例を示す断面図である。
【発明を実施するための形態】
【００１０】
以下、本発明の第１の実施の形態を、図１ないし図１１を参照して説明する。
【００１１】
図９ないし図１１に搬送装置10を示す。搬送装置10は、上面に、搬送物を搬送する主搬送路11を備えている。そして、搬送装置10は、主搬送路11の主搬送方向Ｆの上流側で主搬送方向Ｆに対して交差する左右方向である幅方向の中央１箇所に受け入れた搬送物を主搬送方向Ｆに搬送しながら、振分情報に基づいて主搬送方向Ｆの下流側の幅方向３箇所のいずれかに振り分けて送り出す振分装置である。なお、主搬送方向Ｆの上流側、下流側に対応した位置にある搬送装置10の各構成についても上流側、下流側として説明する。
【００１２】
そして、搬送装置10は、フレーム12と、回動しながら搬送物を搬送する搬送体13と、搬送体13によって搬送物を振り分けさせる振分ユニット14とを備えている。
【００１３】
フレーム12は、主搬送路11の両側に配設される左右一対のサイドフレーム17を有している。左右一対のサイドフレーム17の内側間に搬送体13が配設されている。左右のサイドフレーム17間の上流側位置と下流側位置とにはそれぞれ回転軸18が回転可能に支持され、これら回転軸18の軸方向の両端に搬送体13を支持して一体に回転する回転体であるスプロケット19が取り付けられている。左右のサイドフレーム17には、上流側のスプロケット19と下流側のスプロケット19との間に、主搬送路11を構成する搬送体13の上側回動領域を支えて案内するためのガイドレール（図４参照）20が配設されている。
【００１４】
フレーム12には、モータ21および制御盤22が取り付けられている。モータ21は、サイドフレーム17の下流側の回転軸18に回転駆動力を伝達し、主搬送路11を構成する搬送体13の上側回動領域が主搬送方向Ｆに移動するように、回転軸18およびスプロケット19と一体に搬送体13を回動させる。制御盤22は、上位機器から入力する振分情報や主搬送方向Ｆの上流側位置で搬送物を検知するセンサＳからの検知情報に基づいて振分ユニット14を制御する。
【００１５】
次に、図１ないし図４に搬送体13を示す。搬送体13は、無端状に設けられ、一体に回動するように構成されている。搬送体13は、主搬送路11の両側に配設される左右一対の無端回動体25と、左右の無端回動体25の間に位置して主搬送路11の主搬送方向Ｆと交差する方向を長手方向とする複数の支持体26と、この支持体26の長手方向両端部に装着される連結体（ブッシュ）27と、主搬送方向Ｆと交差する方向に延在し、一端側が無端回動体25に保持され、他端側が連結体27に保持される複数の接続体28と、支持体26に沿ってスライド移動する複数の移動体29とを備えている。
【００１６】
無端回動体25は、チェーン31で構成されている。チェーン31は上流側のスプロケット19と下流側のスプロケット19とに掛け回されているとともに、上流側のスプロケット19と下流側のスプロケット19との間においてチェーン31の少なくとも主搬送路11を移動する上側回動領域がガイドレール20によって摺動可能に支えられている。そして、モータ21による駆動により、主搬送路11を構成する搬送体13の上側回動領域が主搬送方向Ｆに移動するように、チェーン31が回動する。
【００１７】
チェーン31は、複数の一対の外プレート32と複数の一対の内プレート33とが複数のピン34によって連結されて構成されている。チェーン31は、主搬送路11の内側方向に突出する複数のピン34を有している。主搬送路11の内側方向に突出するピン34は、両プレート32，33を連結するピン34と一体であるが、別体でもよい。チェーン31の複数のピン34のうち、チェーン31の長手方向に隣り合う２本ずつのピン34が、１本のピン34の箇所を除いて主搬送路11の内側方向に突出されている。ピン34は、円柱状に形成されている。なお、無端回動体25は、チェーン31に限らず、タイミングベルト等のベルト等を用いてもよく、ベルトの場合にもベルトからピンが突出していればよい。
【００１８】
また、支持体26は、ローラ37で構成されている。ローラ37は、例えば筒形状（詳しくは中空円筒状）のパイプが用いられている。ローラ37の長手方向の両端に連結体27が装着される開口部38が形成されている。そして、ローラ37の長手方向の両端が連結体27を介して左右のチェーン31に連結され、複数のローラ37が左右のチェーン31間に沿って配置されている。
【００１９】
また、図１ないし図８に連結体27を示す。連結体27は、例えばポリアセタール樹脂などの樹脂材料によって一体に形成されている。連結体27は、ローラ37の開口部38内に挿入される胴部41と、ローラ37の開口部38の内周よりも大きい外周を有するとともにローラ37の開口部38の外側に位置する頭部42とを有している。
【００２０】
胴部41は、頭部42に対して反対側に向けて内側が開口する円筒状に形成されている。胴部41の外径はローラ37の開口部38の内径よりも少し大きく、胴部41がローラ37の開口部38内に圧入またはかしめ加工がされることにより、連結体27がローラ37に固定されている。
【００２１】
頭部42は、搬送体13の外周側と内周側とに対応して方向性を有しており、搬送体13の外周側に向けて配置される第１頭部域43と、搬送体13の内周側に向けて配置される第２頭部域44とを有している。
【００２２】
頭部42は、胴部41に対して反対側である頭部42の外側面に開口し、チェーン31の複数のピン34が差し込まれる複数の差込孔45を有している。本実施の形態では、２本のピン34が差し込まれる２つの差込孔45を有している。すなわち、差込孔45は、ピン34の径に応じて丸孔状に形成された第１差込孔45aと、第１差込孔45aよりも主搬送方向Ｆに長い長孔状に形成された第２差込孔45bとを有している。第１差込孔45aは主搬送方向Ｆの下流側に位置され、第２差込孔45bは主搬送方向Ｆの上流側に位置され、第１差込孔45aと第２差込孔45bとが主搬送方向Ｆに並んで位置されている。第１差込孔45aおよび第２差込孔45bは頭部42の中心軸位置よりも第２頭部域44に寄った位置に配置されている。第１差込孔45aおよび第２差込孔45bは胴部41の内側に突出するボス部41a，41bに形成されている。そして、連結体27によってチェーン31とローラ37が連結された状態では、連結体27に差し込まれた複数のピン34がローラ37の開口部38の内側に位置される。なお、連結体27に差し込まれるピン34の数は３本以上でもよい。
【００２３】
頭部42の外周には、ローラ37の外周に対して等しいかまたは小さい第１縁部46と、ローラ37の外周よりも外側に位置する第２縁部47とを有している。第１縁部46は頭部42の第１頭部域43に形成され、第２縁部47は頭部42の第２頭部域44に形成されている。
【００２４】
第１縁部46は、ローラ37の外周に対して等しいかまたは小さい円弧形状に形成されている。
【００２５】
第２縁部47は、ローラ37の外周から外側に突出し、主搬送方向Ｆに沿って位置する第１辺部48と、この第１辺部48の一方端から斜めに延在する第２辺部49と、第１辺部48の他方端から斜めに延在し第２辺部49と線形状または傾斜角が異なる第３辺部50とを有している。なお、第１辺部48は、主搬送方向Ｆに沿って平行に位置していてもよいし、主搬送方向Ｆに対して斜めに位置してもよく、いずれの場合にも、第１辺部48の一方端が主搬送方向Ｆに位置し、第１辺部48の他方端が主搬送方向Ｆと反対側に位置していればよい。第２辺部49は第１辺部48の一方端から第１縁部46の方向へ向けて円弧状に延在され、第３辺部50は第１辺部48の他方端から第１縁部46の方向へ向けて傾斜した直線状に延在されている。第２辺部49は連結体27の主搬送方向Ｆの下流側に位置され、第３辺部50は連結体27の主搬送方向Ｆの上流側に位置されている。そして、第２辺部49および第３辺部50は、ローラ37の外周よりも外側に位置されている。
【００２６】
そして、連結体27は、図４に示すように、ローラ37の長手方向の左側端部に装着される左側用連結体27aとローラ37の長手方向の右側端部に装着される右側用連結体27bとを有し、これら左側用連結体27aと右側用連結体27bとが左右勝手違いの形状に設けられている。したがって、ローラ37の左右の端部に装着される連結体27とも、主搬送方向Ｆの下流側に第１差込孔45aおよび第２辺部49が位置され、主搬送方向Ｆの上流側に第２差込孔45bおよび第３辺部50が位置される。
【００２７】
頭部42は、胴部41がローラ37の開口部38に装着された状態で、ローラ37の左右方向を視認可能な方向表示部51を有している。方向表示部51は、頭部42の外側面でかつ第１頭部域43に表示され、主搬送方向Ｆを示す矢印によって構成されている。
【００２８】
また、接続体28は、チェーン31から主搬送路11の内側方向に突出する複数のピン34によって構成されている。複数のピン34は、主搬送方向Ｆと交差する方向に延在し、一端側が無端回動体25に保持され、他端側が連結体27に保持され、チェーン31の長手方向に沿って複数配置されている。そして、それぞれの連結体27は、接続体28であるピン34のうちの一部でかつ２以上を保持しており、本実施の形態では２本のピン34を保持している。
【００２９】
また、移動体29は、搬送物を載せて搬送するスラット54である。スラット54は、ローラ37の長手方向に沿って長く、隣り合う２本のローラ37間に配置される断面略Ｉ形のスラット本体55を有している。スラット本体55の長手方向に交差する両側には、ローラ37の外周面に長手方向に沿って摺動可能に嵌合する嵌合部56が設けられている。嵌合部56は、スラット本体55の長手方向の両端部およびこれら両端部間の複数箇所に設けられている。スラット本体55の上面に搬送物を搭載する搭載面57が形成され、スラット本体55の下面に移動ピン58が突出されている。
【００３０】
また、図９ないし図１１に示すように、振分ユニット14は、搬送体13の上側回動領域と下側回動領域との間でフレーム12に配設されている。振分ユニット14は、回動する搬送体13のスラット54の移動ピン58を介して、スラット54をローラ37の長手方向に振分移動させる。振分ユニット14は、搬送体13の回動に伴って移動するスラット54の移動ピン58の移動方向を案内する案内機構61を有している。案内機構61は、スラット54を主搬送方向Ｆに沿って直進方向に案内する第１ルートR1と、第１ルートR1からスラット54を右方向に案内する第２ルートR2と、第１ルートR1からスラット54を左方向に案内する第３ルートR3とを有している。第１ルートR1と第２ルートR2および第３ルートR3との各分岐位置には、移動ピン58が移動するルートを切り換える切換機構が配置されている。
【００３１】
次に、搬送装置10の動作について説明する。
【００３２】
搬送装置10では、搬送体13が主搬送方向Ｆに回動することにより、主搬送方向Ｆの上流側においてスラット54が搬送体13の下側回動領域から上側回動領域に回り込んでくる。このとき、振分ユニット14の案内機構61により、スラット54がローラ37の長手方向の中央に位置するように案内される。
【００３３】
搬送装置10の上流側のコンベヤから送り込まれる搬送物を複数のスラット54上に受け入れて主搬送方向Ｆに搬送する。このとき、センサＳにより搬送物の先端位置や長さなどを検知し、搬送物を載せている複数のスラット54を特定する。
【００３４】
振分情報に基づいて、第１ルートR1に振り分ける場合には、振分ユニット14により搬送物を載せている複数のスラット54を第１ルートR1に沿って直進させ、主搬送方向Ｆの下流側の幅方向の中央位置から送り出す。また、搬送物を第２ルートR2に振り分ける場合には、振分ユニット14により搬送物を載せている複数のスラット54を第１ルートR1から第２ルートR2に分岐し、ローラ37の右側（図９上側）へ向けて複数のスラット54とともに搬送物を移動させ、主搬送方向Ｆの下流側の幅方向の右側位置（図９上側位置）から送り出す。また、搬送物を第３ルートR3に振り分ける場合には、振分ユニット14により搬送物を載せている複数のスラット54を第１ルートR1から第３ルートR3に分岐し、ローラ37の左側（図９下側）へ向けて複数のスラット54とともに搬送物を移動させ、主搬送方向Ｆの下流側の幅方向の左側位置（図９下側位置）から送り出す。
【００３５】
主搬送方向Ｆの上流側において搬送体13の上側回動領域から下側回動領域に回り込んだスラット54のうち、ローラ37の右側または左側に移動したスラット54は、振分ユニット14によりローラ37の中央に戻され、搬送体13の上側回動領域に回り込んでいく。
【００３６】
また、搬送装置10の搬送動作中において、チェーン31の２本のピン34がローラ37の連結体27に差し込まれ、これら２本のピン34によってローラ37が支持されているため、ローラ37に回転力が加わっても、ローラ37は回転することがない。
【００３７】
搬送物の一部がローラ37上に載り、この搬送物がローラ37の右側または左側にスラット54とともに移動した場合、搬送物がローラ37の端部で連結体27の頭部42の位置に到達する可能性があるが、連結体27の頭部42の第１縁部46がローラ37の外周に対して等しいまたは小さいため、搬送物が連結体27の頭部42に引っ掛からずに乗り越え、搬送物を円滑に搬送することが可能となる。
【００３８】
ローラ37の端部側に移動するスラット54の移動量が過大となった場合、スラット54がチェーン31に接触し、スラット54の油汚れが生じたり、スラット54でチェーン31を押してチェーン31がガイドレール20から外れる可能性があるが、連結体27の頭部42の第２縁部47がローラ37の外周よりも外側に位置するため、スラット54が連結体27の頭部42に当接して移動制限されることにより、スラット54がチェーン31に接触するのが防止される。
【００３９】
また、チェーン31は使用に伴って伸びが生じるため、チェーン31の２本のピン34が連結体27に差し込まれていると、チェーン31の伸びに対応できずに連結体27が破損したり、複数のローラ37のピッチにばらつきが生じ、スラット54の移動にも影響が生じる可能性がある。チェーン31の２本のピン34が差し込まれる連結体27は、ピン34の径に応じて丸孔状に形成された第１差込孔45aと、第１差込孔45aよりも主搬送方向Ｆに長い長孔状に形成された第２差込孔45bとを有するため、チェーン31に対して第１差込孔45aを基準としてローラ37が位置決めされることで、主搬送方向Ｆの複数のローラ37のピッチが一定寸法に保たれながら、チェーン31の伸びが第２差込孔45bで吸収される。
【００４０】
しかも、ローラ37の両端に装着される連結体27とも、第１差込孔45aは主搬送方向Ｆの下流側に位置され、第２差込孔45bは主搬送方向Ｆの上流側に位置されるように左右勝手違いになっていることにより、チェーン31が伸びても、主搬送方向Ｆの複数のローラ37のピッチが一定寸法に保たれる。
【００４１】
また、主搬送方向Ｆに対して第１差込孔45aおよび第２差込孔45bの方向性を有する連結体27が両端に装着されるローラ37は、搬送体13の組立時において、ローラ37の左右の組立方向を間違えないように組み立てる必要がある。
【００４２】
連結体27は、ローラ37の左側と右側とで左右勝手違いの形状に形成されているため、連結体27を確認することにより、ローラ37の左右の組立方向を把握し、ローラ37の左右の組立方向を間違えないように組み立てることが可能となる。
【００４３】
すなわち、連結体27には、ローラ37の左右方向を視認可能な方向表示部51が表示されているため、ローラ37の左右の組立方向を容易に把握することが可能となる。
【００４４】
さらに、連結体27の頭部42の外周は、主搬送方向Ｆに沿って位置する第１辺部48と、この第１辺部48の一方端から斜めに延在する第２辺部49と、第１辺部48の他方端から斜めに延在し第２辺部49と線形状または傾斜角が異なる第３辺部50とを有するため、連結体27の頭部42の形状からローラ37の左右の組立方向を容易に把握することが可能となる。なお、ローラ37に連結体27を取り付ける組立時に、ローラ37の左右の開口部38に対して異なる向きに連結体27を取り付けないように、左右いずれかの連結体27のみが一定の姿勢でセットされる左右夫々の取付用治具を製作でき、組立ミスの発生を防止できる。
【００４５】
以上のように構成された本実施の形態の搬送装置10では、ローラ37に装着された連結体27がチェーン31の２以上のピン34を保持するため、ローラ37が回転するのを防ぎ、ピン34と連結体27との間での摩耗、およびローラ37とスラット54との間での摩耗の発生を防止できる。しかも、チェーン31に対して複数のピン34でローラ37を支えるため、強度を向上できる。
【００４６】
また、連結体27は２以上のピン34をローラ37の開口部38の内側に保持できるため、ローラ37の支持に２以上のピン34を用いることができる。
【００４７】
また、連結体27の差込孔45は、ピン34の径に応じて丸孔状に形成された第１差込孔45aと、第１差込孔45aよりも主搬送方向Ｆに長い長孔状に形成された第２差込孔45bとを有するため、チェーン31に対して第１差込孔45aを基準としてローラ37を位置決めすることで、主搬送方向Ｆの複数のローラ37のピッチを一定寸法に保ちながら、チェーン31の伸びを第２差込孔45bで吸収することができる。
【００４８】
また、連結体27の頭部42がローラ37の外周に対して等しいまたは小さい第１縁部46を有するため、ローラ37の端部側に搬送物が移動した場合に、搬送物が連結体27の頭部42に引っ掛からずに乗り越えることが可能となり、搬送物を円滑に搬送できる。
【００４９】
さらに、連結体27の頭部42がローラ37の外周よりも外側に位置する第２縁部47を有するため、ローラ37の端部側に移動するスラット54の移動位置を制限することができ、スラット54がチェーン31に接触して油汚れが生じてしまったり、スラット54でチェーン31を押してチェーン31がガイドレール20から外れてしまうのを防止することができる。
【００５０】
また、連結体27は、ローラ37の左側と右側とでは左右勝手違いの形状に形成されているため、搬送体13の組立時において、ローラ37の組立方向を主搬送方向Ｆに対応させることができる。
【００５１】
さらに、連結体27の頭部42は、胴部41がローラ37の開口部38に装着された状態で、ローラ37の左右方向を視認可能な方向表示部51を有するため、搬送体13の組立時において、ローラ37の組立方向を容易に把握できて組立作業性を向上でき、ローラ37の組立方向の間違いを防止できる。
【００５２】
さらに、連結体27の頭部42の外周は、一方端が主搬送方向Ｆに位置し、他方端が主搬送方向Ｆと反対側に位置する第１辺部48と、この第１辺部48の一方端から斜めに延在する第２辺部49と、第１辺部48の他方端から斜めに延在し第２辺部49と線形状または傾斜角が異なる第３辺部50とを有するため、搬送体13の組立時において、連結体27の頭部42の形状からローラ37の組立方向を容易に把握でき、ローラ37の組立方向の間違いを防止できる。
【００５３】
さらに、第２辺部49および第３辺部50は、ローラ37の外周よりも外側に位置されているため、連結体27の頭部42の形状を把握しやすくできる。それに加えて、第２辺部49および第３辺部50により、ローラ37の端部側に移動するスラット54の移動位置を制限することができ、スラット54がチェーン31に接触して油汚れが生じてしまったり、スラット54でチェーン31を押してチェーン31がガイドレール20から外れてしまうのを防止することができる。
【００５４】
次に、第２の実施の形態を、図１２ないし図１７を参照して説明する。
【００５５】
第２の実施の形態では、接続体28として、チェーン31の一対の外プレート32と一対の内プレート33とを連結するピン34とは別である接続専用の複数のピン70が用いられる。すなわち、接続体28であるピン70は、主搬送方向Ｆと交差する方向に延在し、一端側が無端回動体25であるチェーン31に保持され、他端側が連結体27に保持される。
【００５６】
さらに、チェーン31は、ローラ37を支持するためのブラケット71を備えている。ブラケット71は、一対の外プレート32のうちの一方であって、主搬送路11の内側に位置する外プレート32に一体に設けられている。ブラケット71は、チェーン31の外周側に突出され、突出方向先端側に２本または１本のピン70の一端側を保持する。なお、ブラケット71は、主搬送路11の外側に位置する外プレート32と一体に設けてもよい。また、ブラケット71は、外プレート32とは別体に設け、外プレート32に重ねて複数のピン34によって取り付けるようにしてもよい。この場合、ブラケット71は、１つの外プレート32に取り付ける場合と、２つの外プレート32に跨って取り付ける場合とのいずれにも対応する。
【００５７】
そして、ピン70は、図１２ないし図１４に示すように、予めチェーン31側に一体化される場合と、図１５ないし図１７に示すように、予めローラ37の連結体27に一体化される場合とがある。
【００５８】
図１２ないし図１４に示すように、ピン70が予めチェーン31側に一体化される場合には、チェーン31のブラケット71に設けられた２つの孔部のうち、両方の孔部に２本のピン70の一端側が固定されるか、一方の孔部のみに１本のピン70の一端側が固定される。
【００５９】
ローラ37の連結体27は、１つのブラケット71の２本のピン70の他端側を保持する場合（図１２左側）と、隣り合う２つのブラケット71に跨って各ブラケット71の１本ずつのピン70を保持する場合（図１２右側）とがある。
【００６０】
ローラ37の連結体27が、隣り合う２つのブラケット71に跨って各ブラケット71の各ピン70を保持する場合、主搬送方向Ｆの側に位置するブラケット71のピン70を第１差込孔45aに差し込み保持し、主搬送方向Ｆと反対側に位置するブラケット71のピン70を長孔状の第２差込孔45bに差し込み保持するため、長孔状の第２差込孔45bによってチェーン31の伸びを吸収できる。また、チェーン31がスプロケット19の外径部に沿って回動する際に、隣り合うブラケット71の間隔が広がるが、スプロケット19の外径を大きくすることで、隣り合うブラケット71の間隔の広がりを小さくすることが可能となって、その間隔の広がりを長孔状の第２差込孔45bで吸収可能とする。
【００６１】
また、図１５ないし図１７に示すように、ピン70が予めローラ37の連結体27に一体化される場合、ブラケット71の突出方向先端側に２本のピン70が差し込まれる２つの差込孔72が主搬送方向Ｆに並んで設けられる。
【００６２】
この場合、１つの連結体27から突出する２本のピン70は、１つのブラケット71の２つの差込孔72に差し込まれる場合と、隣り合うブラケット71の各一方の差込孔72に差し込まれる場合とのいずれにも対応する。
【００６３】
１つの連結体27から突出する２本のピン70が１つのブラケット71の２つの差込孔72に差し込まれる場合、ブラケット71の差込孔72は、例えば、主搬送方向Ｆの側に位置する差込孔72をピン70の径に応じて丸孔状に形成された第１差込孔72aとし、主搬送方向Ｆと反対側に位置する差込孔72を第１差込孔72aよりも主搬送方向Ｆに長い長孔状に形成された第２差込孔72bとする。なお、この場合、１つの連結体27から突出する２本のピン70が１つのブラケット71に取り付けられるためにチェーン31の伸びが影響しないので、２つの差込孔72とも第１差込孔72aでもよく、あるいは、１つの連結体27から突出する２本のピン70が隣り合うブラケット71の各一方の差込孔72に差し込まれる場合と共通のブラケット71を用いてもよい。
【００６４】
１つの連結体27から突出する２本のピン70が隣り合うブラケット71の各一方の差込孔72に差し込まれる場合、各ブラケット71の差込孔72は、主搬送方向Ｆの側に位置する差込孔72を長孔状の第２差込孔72bとし、主搬送方向Ｆと反対側に位置する差込孔72を丸孔状の第１差込孔72aとする。この場合、主搬送方向Ｆの側に位置する一方のブラケット71の第１差込孔72aは連結体27の一方のピン70を差し込み保持し、主搬送方向Ｆと反対側に位置する他方のブラケット71の第２差込孔72bは連結体27の他方のピン70を差し込み保持するため、長孔状の第２差込孔72bによってチェーン31の伸びを吸収できる。なお、チェーン31がスプロケット19の外径部に沿って回動する際に、隣り合うブラケット71の間隔が広がるが、スプロケット19の外径を大きくすることで、隣り合うブラケット71の間隔の広がりを小さくすることが可能となって、その間隔の広がりを長孔状の第２差込孔72bで吸収可能とする。
【００６５】
次に、第３の実施の形態を、図１８ないし図２２を参照して説明する。
【００６６】
連結体27は、チェーン31の２本のピン34をローラ37の開口部38の外側に配置して保持する。連結体27は、第１頭部域43に対して第２頭部域44を延長したブラケット部75が形成されている。このブラケット部75に、差込孔45である第１差込孔45aおよび第２差込孔45bが主搬送方向Ｆに並んで設けられている。
【００６７】
この場合、図１８および図１９に示すように、ブラケット部75が、チェーン31に対して主搬送路11の内側に配置され、ピン34を保持する場合と、図２１および図２２に示すように、ブラケット部75が、チェーン31に対して主搬送路11の外側に配置され、ピン34を保持する場合とのいずれにも対応する。
【００６８】
このように、連結体27がローラ37の開口部38の外で、チェーン31のピン34を保持する場合、連結体27によって保持するピン34の本数を２本よりも多くしやすくなり、強度の向上を図ることができる。
【００６９】
次に、第４の実施の形態を、図２３(a)および図２３(d)を参照して説明する。
【００７０】
連結体27は、チェーン31の２本のピン34のうちの一方のピン34をローラ37の開口部38の内側に配置して保持し、他方のピン34をローラ37の開口部38の外側に配置して保持する。
【００７１】
連結体27には、主搬送方向Ｆと反対側に向けて第２縁部47を延長した延長部78が設けられる。連結体27には、ローラ37の開口部38の内側に配置される位置に第１差込孔45aが設けられ、延長部78に第２差込孔45bが設けられる。
【００７２】
この場合、図２３(a)に示すように、延長部78に設けられる第２差込孔45bは長孔状の場合と、図２３(b)に示すように、延長部78に設けられる第２差込孔45bは主搬送方向Ｆに対して反対側が切り欠かれて開口された場合とが含まれる。
【００７３】
次に、第５の実施の形態を、図２４(a)〜(d)を参照して説明する。
【００７４】
図２４(a)に搬送体13の一例を示す。この例では、図１２ないし図１４に示したチェーン31を用いている。すなわち、チェーン31は、主搬送路11の内側に位置する外プレート32に一体に設けられたブラケット71を有し、このブラケット71にピン70の一端側を保持する。さらに、連結体27は、図１８ないし図２０に示す連結体27と同様に、ブラケット部75を有している。ただし、ブラケット部75は、連結体27の第１頭部域43を延長して形成されている。このブラケット部75にピン70の他端側を保持する。
【００７５】
また、図２４(b)に搬送体13の他の例を示す。チェーン31は、主搬送路11の内側に位置する外プレート32に一体に設けられたブラケット71を有している。ブラケット71は、主搬送路11の内側に位置する外プレート32から主搬送路11の内側に向けて延長されるとともに外プレート32と対向するように垂直状の保持部71aが設けられ、この保持部71aにピン70の一端側を保持する。
【００７６】
また、図２４(c)に搬送体13のさらに他の例を示す。チェーン31は、主搬送路11の内側に位置する外プレート32に一体に設けられたブラケット71を有している。ブラケット71は、主搬送路11の外側に位置する外プレート32から主搬送路11の内側に向けて延長されるとともに主搬送路11の内側に位置する外プレート32と対向するように垂直状の保持部71aが設けられ、この保持部71aにピン70の一端側を保持する。
【００７７】
なお、図２４(a)、図２４(b)および図２４(c)の各例とも、ピン70の他端側を連結体27に固定し、ピン70の一端側をブラケット71の保持部71aに差し込んで保持してもよく、あるいは、ピン70の一端側をブラケット71の保持部71aに固定し、ピン70の他端側を連結体27に差し込んで保持してもよい。さらに、ブラケット71は、外プレート32とは別体に設け、主搬送路11の内側に位置する外プレート32の内側または主搬送路11の外側に位置する外プレート32の外側に配置してチェーン31に取り付けるようにしてもよい。
【００７８】
また、図２４(d)に搬送体13のまたさらに他の例を示す。連結体27はブラケット部75を有している。ブラケット部75は、連結体27の第１頭部域43から主搬送路11の外側に向けて延長されるとともに主搬送路11の外側に位置するチェーン31の外プレート32に対向するように垂直状の保持部75aが設けられ、この保持部75aがチェーン31のピン34に保持されている。
【００７９】
なお、搬送装置10は、主搬送方向Ｆに対して反対方向に搬送物を搬送することにより、上流側の３箇所から受け入れる搬送物を下流側の１箇所に集合させて送り出す集合装置として構成される。
【００８０】
また、本実施の形態のチェーン31の複数のピン34を連結体27に差し込んでローラ37を支持する構造は、スラット54を備えず、主搬送方向Ｆのみに搬送物を搬送する搬送装置や、移動体29として押出シューを用いて支持体26上の搬送物を主搬送方向Ｆに交差する方向に押し出して仕分ける搬送装置にも適用できる。
【００８１】
以上、本発明の実施の形態およびその変形例について説明したが、本発明の要旨を逸脱しない範囲で、前記実施の形態および各変形例を適宜組み合わせることも可能である。
【符号の説明】
【００８２】
10    搬送装置
11    主搬送路
25    無端回動体
26    支持体
27    連結体
28    接続体
38    開口部
41    胴部
42    頭部
45    差込孔
45a   第１差込孔
45b   第２差込孔
46    第１縁部
47    第２縁部
48    第１辺部
49    第２辺部
50    第３辺部
51    方向表示部
72    差込孔
72a   第１差込孔
72b   第２差込孔
Ｆ    主搬送方向
【図１】
2020104956.tif 000003
【図２】
2020104956.tif 000004
【図３】
2020104956.tif 000005
【図４】
2020104956.tif 000006
【図５】
2020104956.tif 000007
【図６】
2020104956.tif 000008
【図７】
2020104956.tif 000009
【図８】
2020104956.tif 000010
【図９】
2020104956.tif 000011
【図１０】
2020104956.tif 000012
【図１１】
2020104956.tif 000013
【図１２】
2020104956.tif 000014
【図１３】
2020104956.tif 000015
【図１４】
2020104956.tif 000016
【図１５】
2020104956.tif 000017
【図１６】
2020104956.tif 000018
【図１７】
2020104956.tif 000019
【図１８】
2020104956.tif 000020
【図１９】
2020104956.tif 000021
【図２０】
2020104956.tif 000022
【図２１】
2020104956.tif 000023
【図２２】
2020104956.tif 000024
【図２３】
2020104956.tif 000025
【図２４】
2020104956.tif 000026